(57)【特許請求の範囲】
【請求項１】
積層される鋼板の適当間隔毎に配設された内部冷却板及び積層方向両端に配設された外部冷却板を有する鉄心と、前記鉄心の周囲に巻回され交番電流が印加される巻線とを備え、前記鉄心には、当該鉄心を構成する前記の鋼板、内部及び外部冷却板の各被加熱物側端面によって構成され、被加熱物に対し平行に相対される対物面が設定された誘導加熱コイルにおいて、
前記の両外部冷却板の各被加熱物側端面は、前記対物面から後退させた位置とし、
被加熱側端面が後退させられた外部冷却板から積層方向の一定幅内に積層された鋼板の対物面側は、積層方向内側から外側に向けて並ぶ各鋼板の被加熱側端面を、対物面から次第に後退させて行き、前記の後退させられた外部冷却板の被加熱物側端面へ連なる傾斜状面とし、
前記対物面の傾斜状面側に内部冷却板が配設されている
ことを特徴とする誘導加熱コイル。
【請求項２】
積層される鋼板の適当間隔毎に配設された内部冷却板及び積層方向両端に配設された外部冷却板を有する鉄心と、前記鉄心の周囲に巻回され交番電流が印加される巻線とを備え、前記鉄心には、当該鉄心を構成する前記の鋼板、内部及び外部冷却板の各被加熱物側端面によって構成され、被加熱物に対し平行に相対される対物面が設定された誘導加熱コイルにおいて、
前記被加熱物の端部側に位置する外部冷却板の被加熱物側端面は、前記対物面から後退させた位置とすると共に、
前記巻線の被加熱側端面は、後退させた位置の前記外部冷却板の被加熱側端面と一致若しくは一致する位置から前進させた位置とし、
被加熱側端面が後退させられた外部冷却板から積層方向の一定幅内に積層された鋼板の対物面側は、積層方向内側から外側に向けて並ぶ各鋼板の被加熱側端面を、対物面から次第に後退させて行き、前記の後退させられた外部冷却板の被加熱物側端面へ連なる傾斜状面とし、
前記対物面の傾斜状面側に内部冷却板が配設されている
ことを特徴とする誘導加熱コイル。
【請求項３】
積層される鋼板の適当間隔毎に配設された内部冷却板及び積層方向両端に配設された外部冷却板を有する鉄心と、前記鉄心の周囲に巻回され交番電流が印加される巻線とを備え、前記鉄心には、当該鉄心を構成する前記の鋼板、内部及び外部冷却板の各被加熱物側端面によって構成され、被加熱物に対し平行に相対される対物面が設定された誘導加熱コイルにおいて、
前記の両外部冷却板の被加熱物側端面は前記対物面から後退させた位置とすると共に、
前記巻線の被加熱側端面は、後退させた位置の前記外部冷却板の被加熱側端面と一致若しくは一致する位置から前進させた位置とし、
被加熱側端面が後退させられた外部冷却板から積層方向の一定幅内に積層された鋼板の対物面側は、積層方向内側から外側に向けて並ぶ各鋼板の被加熱側端面を、対物面から次第に後退させて行き、前記の後退させられた外部冷却板の被加熱物側端面へ連なる傾斜状面とし、
前記対物面の傾斜状面側に内部冷却板が配設されている
ことを特徴とする誘導加熱コイル。
【発明の詳細な説明】
【０００１】
【発明の属する技術分野】
本発明は、冷却板を積層方向両端外側に備えた誘導加熱コイル、例えば鉄心付平面加熱用誘導加熱コイルに関し、詳しくは、積層される鋼板の適当間隔毎に配設された内部冷却板及び積層方向両端に配設された外部冷却板を有する鉄心と、前記鉄心の周囲に巻回され交番電流が印加される巻線とを備え、前記鉄心には、当該鉄心を構成する前記の鋼板、内部及び外部冷却板の各被加熱物側端面によって構成され、被加熱物に対し平行に相対される対物面が設定された誘導加熱コイルに関する。
【０００２】
【従来の技術】
従来のこの種の誘導加熱コイルとしては、例えば、特公昭６２−２９８７５号公報及び特開平５−２９９１６８号公報に記載のものが知られている。
【０００３】
先ず、従来例１として、特公昭６２−２９８７５号公報に記載された誘導加熱コイルの構成を図６に基づいて説明する。図６は従来例１の誘導加熱コイルの断面図である。
図６において、１は鉄心２を構成するよう積層される鋼板としてのケイ素鋼板である。
３Ａ、３Ｅは、同じく鉄心２を構成する冷却板としての水冷銅板であって、積層された鋼板１の両端側にあって、両外側から挟んでいる（以下、これらを外部冷却板という）。
又、３Ｂ、３Ｃ、３Ｄも、同じく鉄心２を構成する冷却板としての水冷銅板であって、これらは積層された鋼板１の間に適等間隔にて挟まれている（以下、これらを内部冷却板という）。
尚、上記の外部冷却板及び内部冷却板を単に冷却板ともいう。
【０００４】
４は絶縁締結ボルトであり、積層された上記鋼板１及び冷却板３Ａ〜３Ｅを積層方向に締結する。
５は巻線で、上記鋼板１や冷却板３Ａ〜３Ｅからなる鉄心２の周囲に巻回されており、交番電流が印加される。
以上のように構成された従来例１の誘導加熱コイルは、その鉄心２に、被加熱物６の面（平面）に相対する平行な面即ち対物面が設定されている。この鉄心２の対物面は、鉄心２を構成する積層された多数の鋼板１及び冷却板３Ａ〜３Ｅの各々の被加熱側端面の集合で構成される面である。
【０００５】
次に、図７において、上記の冷却板としての水冷銅板３Ａ〜３Ｅの構成の一例を説明する。図示の水冷銅板は、口出管８を有する銅管９が所定形状の銅板７の周囲を囲むようにロウ付けされた構成である。尚、次に説明する従来例２の誘導加熱コイルの冷却板としての水冷銅板も同じ構造である。
【０００６】
次に、従来例２として、特開平５−２９９１６８号公報に記載された誘導加熱コイルを説明する。この誘導加熱コイルは、上記従来例１の誘導加熱コイルを改良したものである。以下、図８を参照しながら説明する。図８は従来例２の誘導加熱コイルの断面図である。
尚、図８において、図中の符号１〜６は上記従来例１（図６、図７）と同様であるからその説明を省略する。
【０００７】
上記従来例１とこの従来例２の誘導加熱コイルとの構成の違いは次の通りである。
即ち、従来例１では、鉄心２の対物面が被加熱物６の面と全面的に平行に相対するよう設定されていた。
従って、鉄心２の対物面に垂直な縦断面である図６に示すように、鉄心２を構成する鋼板１や冷却板３Ａ〜３Ｂの各被加熱側端面が直線的に横並びとなり、被加熱物６の面との間即ち対物距離ｇが一定となっている。
以下、各鋼板の被加熱側端面を鋼板の端面、各冷却板の被加熱側端面を冷却板の端面ともいう。
【０００８】
上記従来例１に対して従来例２では、被加熱物６の端部側に対して相対する位置側の外部冷却板、図８では、図の左側の外部冷却板３Ａの端面だけが、鉄心２の本来の対物面の位置よりも、被加熱物６から遠ざかる方向に後退した位置とされている点が異なっている。
従って、鉄心２の対物面に垂直な縦断面である図８に示すように、当該外部冷却板３Ａの端面のみが、鉄心２の対物面と被加熱物６の面との間の本来の一定な対物距離ｇに対して、距離ｈ分だけ大きく離れ、当該外部冷却板３Ａの被加熱物６に対する対物間隔が（ｇ＋ｈ）となっている。
以下、この従来例２の対物間隔（ｇ＋ｈ）の距離ｈ分の差が当該外部冷却板３Ａに接する鋼板１との間で垂直方向に生じている点から、この距離ｈの落差及びその形態を垂直段差という。
【０００９】
次に、上記従来例１の動作を説明する。
鉄心２に巻回された巻線５に交番電流を流すと、鉄心２に交番磁束が発生し、この交番磁束が被加熱物６としての被加熱金属体に流入して、被加熱物６を誘導加熱する。
この際、鉄心２は、多数の鋼板１、この例ではケイ素鋼板１が積層されて形成されているため、外部への磁束の漏れが少ない。
又、この鉄心２は、図６乃び図８に示すＢ方向の磁束や図９に示すＡ方向の磁束によるヒステリシス損及び渦電流損によって自己発熱する。
【００１０】
この鉄心２の自己発熱量が少ない場合には、鉄心２自体を冷却する必要はないが、被加熱物６の発熱密度を上げるためには、鉄心２における磁束密度を高磁束密度（１Ｔ（テスラ）〜２Ｔ）にする必要があるため、誘導加熱コイルの場合には、当然、鉄心２内での発熱量が大きくなるため、鉄心２自体を冷却しなくてはならない。
このため、図７に示すような冷却板３Ａ〜３Ｅが積層される多数の鋼板１の間や両端側に配置されている。
【００１１】
【発明が解決しようとする課題】
上記従来例１の誘導加熱コイル（図６）では、磁束Ｂにより、被加熱物６の端部側に相対して位置する側の外部冷却板３Ａが誘導加熱され易く、多大な熱損失が発生して、当該外部冷却板３Ａの銅管９（図７）の寿命が短くなったり、亀裂が生じたりして水漏れが発生するという課題があった。
【００１２】
この従来例１の解題を解決するため、上記従来例２の誘導加熱コイル（図８）では、当該外部冷却板３Ａを大きく後退させて垂直段差ｈを設けた改良を加えたところ、更に次のような課題が生じた。
即ち、この垂直段差ｈが小さいと、従来例１の誘導加熱コイルの場合と同様に、磁束Ｂにより外部冷却板３Ａが誘導加熱されていしまい、その銅管９の寿命が短くなったり、亀裂が生ずる等して、当初の課題を十分に解消することができないのである。
【００１３】
他方、この課題を解消すべく、上記の垂直段差ｈを十分に大きくすると、鉄心２の外部冷却板３Ａを越えて、当該外部冷却板３Ａに接する内側の、即ち積層方向内側に積層された、当該外部冷却板３Ａ寄りの一定幅内（後述の外部冷却板側積層体部分２Ａ、図１、図２参照）の鋼板１において、各鋼板１の被加熱物側の端部（鋼板の端部）、即ち鉄心端部１Ａ（図８）が誘導加熱されて熱損失が増大する上に、当該外部冷却板３Ａが前記鋼板１の端部から大きく離れているため、当該鉄心端部１Ａに対する冷却効果が大きく低下して、高温となりやすく、熱疲労と電磁振動とで破断したりする。
又、磁束Ｂによって、前記外部冷却板３Ａに最寄りの、即ち、当該外部冷却板３Ａの内側に配設されている内部冷却板３Ｂまでもが誘導加熱されてしまい、上記従来例１の場合と同様に、内部冷却板３Ｂの銅管に亀裂が生じて水漏れを起こしてしまう等の課題があった。
本発明は、上記課題を解決し、鉄心の発熱量を抑制し、耐久性に優れた高性能の誘導加熱コイルの提供を目的とする。
【００１４】
【課題を解決するための手段】
請求項１の発明は、積層される鋼板の適当間隔毎に配設された内部冷却板及び積層方向両端に配設された外部冷却板を有する鉄心と、前記鉄心の周囲に巻回され交番電流が印加される巻線とを備え、前記鉄心には、当該鉄心を構成する前記の鋼板、内部及び外部冷却板の各被加熱物側端面によって構成され、被加熱物に対し平行に相対される対物面が設定された誘導加熱コイルにおいて、前記の両外部冷却板の各被加熱物側端面は、前記対物面から後退させた位置とし、被加熱側端面が後退させられた外部冷却板から積層方向の一定幅内に積層された鋼板の対物面側は、積層方向内側から外側に向けて並ぶ各鋼板の被加熱側端面を、対物面から次第に後退させて行き、前記の後退させられた外部冷却板の被加熱物側端面へ連なる傾斜状面とし、前記対物面の傾斜状面側に内部冷却板が配設されていることを特徴とする。
【００１５】
請求項２の発明は、積層される鋼板の適当間隔毎に配設された内部冷却板及び積層方向両端に配設された外部冷却板を有する鉄心と、前記鉄心の周囲に巻回され交番電流が印加される巻線とを備え、前記鉄心には、当該鉄心を構成する前記の鋼板、内部及び外部冷却板の各被加熱物側端面によって構成され、被加熱物に対し平行に相対される対物面が設定された誘導加熱コイルにおいて、前記被加熱物の端部側に位置する外部冷却板の被加熱物側端面は、前記対物面から後退させた位置とすると共に、前記巻線の被加熱側端面は、後退させた位置の前記外部冷却板の被加熱側端面と一致若しくは一致する位置から前進させた位置とし、被加熱側端面が後退させられた外部冷却板から積層方向の一定幅内に積層された鋼板の対物面側は、積層方向内側から外側に向けて並ぶ各鋼板の被加熱側端面を、対物面から次第に後退させて行き、前記の後退させられた外部冷却板の被加熱物側端面へ連なる傾斜状面とし、前記対物面の傾斜状面側に内部冷却板が配設されていることを特徴とする。
【００１６】
請求項３の発明は、積層される鋼板の適当間隔毎に配設された内部冷却板及び積層方向両端に配設された外部冷却板を有する鉄心と、前記鉄心の周囲に巻回され交番電流が印加される巻線とを備え、前記鉄心には、当該鉄心を構成する前記の鋼板、内部及び外部冷却板の各被加熱物側端面によって構成され、被加熱物に対し平行に相対される対物面が設定された誘導加熱コイルにおいて、前記の両外部冷却板の被加熱物側端面は前記対物面から後退させた位置とすると共に、前記巻線の被加熱側端面は、後退させた位置の前記外部冷却板の被加熱側端面と一致若しくは一致する位置から前進させた位置とし、被加熱側端面が後退させられた外部冷却板から積層方向の一定幅内に積層された鋼板の対物面側は、積層方向内側から外側に向けて並ぶ各鋼板の被加熱側端面を、対物面から次第に後退させて行き、前記の後退させられた外部冷却板の被加熱物側端面へ連なる傾斜状面とし、前記対物面の傾斜状面側に内部冷却板が配設されていることを特徴とする。
【００２３】
【発明の実施の形態】
実施の形態１．
実施の形態１の誘導加熱コイルは、鉄鋼圧延ラインにおいて、粗圧延機と仕上げ圧延機との間に設置され、連続的に流れてくる被加熱物が圧延されてテーブルローラによって次工程に搬送される間に被加熱物が温度低下するのを補償するために用いられるものであり、次のように構成されている。
【００２４】
即ち、積層される鋼板１の適当間隔毎に配設された冷却板としての内部冷却板３Ｂ〜３Ｄ及び積層方向両端に配設された同じく冷却板としての外部冷却板３Ａ、３Ｅを有する鉄心２と、この鉄心２の周囲に巻回され交番電流が印加される巻線５とを備え、前記の鉄心２には、当該鉄心２を構成する前記の鋼板１及び冷却板３Ａ〜３Ｅの各々の被加熱物側端面によって構成され、被加熱物６に対し平行に相対する対物面が設定されている。
【００２５】
以下、実施の形態１を図１に基づいて説明する。図１は対物面に垂直な縦断面である。尚、上記従来例１及び従来例２で説明した符号や用語と同一の符号及び用語は同一若しくは実質的に同様であるので、その説明を省略する。
【００２６】
図１において、１は鋼板としてのケイ素鋼板、２は鉄心であり、多数の鋼板１や後述する冷却板３Ａ〜３Ｅが積層されて構成されている。
３Ａ、３Ｅは外部冷却板としての水冷銅板であり、鉄心２の積層方向の両端外側に配置されている。
又、３Ｂ、３Ｃ、３Ｄは内部冷却板としての水冷銅板であり、鉄心２を構成する多数の鋼板１の積層方向の適所適所に介在し、挟まれて配設されている。
４は絶縁締結ボルトであり、積層された多数の鋼板１及び冷却板３Ａ〜３Ｅを積層方向に締結している。
５は巻線であり、上記の鉄心２即ち、鋼板１及び冷却板３Ａ〜３Ｅからなる積層体の周囲に巻回されており、交番電流が印加される。
６は被加熱物としての平らな鋼鉄板である。
【００２７】
図１において、鉄心２に巻回された巻線５に交番電流を流すと、鉄心２に交番磁束が発生し、この交番磁束が被加熱金属体、即ち上記の被加熱物６に流入して、被加熱物が誘導加熱される。
【００２８】
さて、この実施の形態１では、鉄心２の積層方向両端側に配置された外部冷却板としての両水冷銅板３Ａ、３Ｅの各被加熱物側の端面（外部冷却板の端面）を、鉄心２の対物面よりも間隔ｈ分だけ被加熱物６から遠ざかるように後退させた位置となるよう、即ち、被加熱物６の面との間が間隔ｇ＋ｈ（ｇは鉄心２の対物面と被加熱物６の面との間の間隔）となるように、鉄心２の積層方向両端側に位置する各々の外部冷却板３Ａ、３Ｅを配設した構成としている。
【００２９】
次に、上記のように後退した位置に配設された両外部冷却板３Ａ、３Ｅの各々に接する鋼板１から、積層方向の内側へ積層されている一定幅内の鋼板２Ａ（以下、外部冷却板側積層体部分ともいう）については、この外部冷却板側積層体部分２Ａにおいて、鉄心２の内側の鋼板１から外側の鋼板１に向けて、これら鋼板１の各被加熱側端面（鋼板の端面）が対物面から次第に後退するように配置され、積層方向の中央側に残された鉄心２の本来の対物面から前記の後退した位置に配設された各々の外部冷却板３Ａ、３Ｅの被加熱物側端面（外部冷却板の端面）へと各々連なる傾斜状面となるように構成されている。
【００３０】
ここで、上記の傾斜状面は、各鋼板１の端面や、場合によってはこれらの鋼板１の間に介在された冷水板の端面（非図示）等、多数の端面の集合によって概括的に形成される斜め方向の面、例えば、その断面が直線状、階段状或いは曲線状である面をいい、必ずしもその斜め方向の面は、平滑な面であるに限らず、例えば、各端面は対物面や被加熱物６の面に対して平行であってもよい。
上記のように、この形態１に示す傾斜状面は、両側の外部冷却板３Ａ、３Ｅの各端面の延在方向から鉄心２の中央側に残された対物面、図上において被加熱物６の面と平行な対物面に接するまでを傾斜領域としている。
【００３１】
鉄心２の積層方向両端側の被加熱物側、即ち外部冷却板側積層体部分２Ａに設けられた上記傾斜状面は、後退させられた外部冷却板３Ａ、３Ｅを越えて、その内側の鋼板１や内部冷却板３Ｂ、３Ｄへの、上記の従来技術で説明した磁束Ｂの流入を有効に阻止できるように形成されている。
従って、上記の一定幅内（の鋼板２Ａ）とは、この磁束Ｂが流入し易い領域（外部冷却板側積層体部分）をいう。
【００３２】
この実施の形態１では、外部冷却板３Ａ、３Ｂと各々の最寄りの内側に位置する内部冷却板３Ｂ、３Ｄとの間を、磁束Ｂが流入し易い領域、即ち一定幅内とし、この幅内に積層された外部冷却板側積層体部分２Ａを構成する多数の鋼板１を、数枚毎の組みとし、この組みを単位として、例えば３枚組み毎の各鋼板１の端面を一連の面となし、この面の両隣が一方は低く、他方は高い階段状となるように、順次段差をつけて各３枚組み毎の鋼板１を配置していくことで、階段状の傾斜状面を構成している。
【００３３】
上記実施の形態１によれば、鉄心２の発熱量を大幅に低減させることができる。その理由は次の通りである。
先ず、上記の従来例１や従来例２において、鉄心２の対物面側の積層方向両端部側に、即ち従来例２でいう鉄心端部１Ａ（図８）における発熱の原因が、外部冷却板の端面とその内側に積層された枚数の鋼板、即ち外部冷却板側積層体部分２Ａの各被加熱物側端面との段差量（ｈ）が要因の１つであることが判った。
【００３４】
即ち、上記の段差量ｈを種々変更して、鉄心２に貫通する磁束と上記鉄心端部１Ａ（図８）における発熱量を調べたところ、当該鉄心端部１Ａ（図８）の発熱量は、外部冷却板から突き出している鋼板１の部分の面積の２乗に比例し、その周囲長さの２乗に反比例していることが判ったのである。
つまり、積層方向長さが同じ場合、上記段差量ｈの２乗に比例するということである。又、鋼板１と鋼板１との段差についても同様の結果が得られた。
【００３５】
このような理由から、上記実施の形態１のように構成することによって、鉄心２の発熱量を大幅に抑制することができたのである。
尚、上記実施の形態１では、鉄心２の積層方向両端側において、両外部冷却板３Ａ、３Ｂを後退させ、且つ、各々に傾斜状面を設けているが、磁束Ｂの流入が激しい被加熱物６側の端面部側に位置する外部冷却板側だけに、当該外部冷却板を後退させたり、更に上記のような傾斜状面を設けてもよい。
又、磁束Ｂの流入量如何によっては、傾斜状面を設けず、両外部冷却板３Ａ、３Ｂを後退させる構成を採用するだけでも、十分に磁束Ｂの流入を阻止することができる。
【００３６】
実施の形態２．
実施の形態２の誘導加熱コイルは、上記実施の形態１の誘導加熱コイルと基本的には略同様のものである。
以下、図２に基づいて説明する。図２は対物面に垂直な縦断面である。尚、上記実施の形態１と同一の符号若しくは用語は同一若しくは実質的には同様な内容であるので、その説明を省略する。
【００３７】
図２に示すように、この誘導加熱コイルもまた、積層される鋼板１の適当間隔毎に挟み込まれる内部冷却板３Ｂ〜３Ｄ及び積層方向両端に配設される外部冷却板３Ａ、３Ｅを有する鉄心２と、この鉄心２の周囲に巻回され交番電流が印加される巻線５とを備え、前記の鉄心２には、当該鉄心２を構成する前記の鋼板１及び前記の冷却板３Ａ〜３Ｅの被加熱物側端面によって構成され、被加熱物６に対し平行に対面する対物面が設定されている。これらの構成は、上記実施の形態１と同様である。
【００３８】
この実施の形態２では、上記の外部冷却板３Ａ、３Ｅの被加熱物側端面（外部冷却板３Ａ、３Ｅの端面）に対して、巻線５を、その巻線５の被加熱側端面（以下、巻線５の端面ともいう）が一致若しくは一致する位置から更に被加熱物６から遠ざかるように後退させた位置に配置した構成としたものである。
以下、図４及び図５に基づいて説明する。図４は、外部冷却板としての水冷銅板３Ａの発熱比と、外部冷却板としての水冷銅板３Ａ（の端面）の巻線５の端面からの突き出し量ｈ（ｍｍ）との関係を示す図である。
【００３９】
図４に示すように、外部冷却板３Ａ、３Ｅを後退させる程、発熱量比は、減少する。
しかし、外部冷却板３Ａ、３Ｅに接する鋼板１から鉄心２の内側即ち積層方向に積層された一定幅内の鋼板、即ち外部冷却板側積層体部分２Ａ（図２）の被加熱物側端部（鋼板の端部）側の熱に対する冷却効果及び機械的強度の観点から、上記突き出し量ｈの最適値を適宜選択しなければならない。この例では、ｋ＝０〜−５ｍｍとしている。
【００４０】
これは、外部冷却板３Ａ、３Ｅの発熱の原因において、発熱量が巻線５の端面と外部冷却板３の端面との位置関係にあることが判ったからであり、そこで、例えば、外部冷却板３Ａを被加熱物６の方向の種々の位置に動かして、当該外部冷却板３Ａの発熱量を調べたところ、外部冷却板３Ａの端面の位置を巻線５の端面の位置から被加熱物６に向けて突き出す程、当該外部冷板３Ａの発熱量が急激に増加することが判った。以下、この巻線５の端面を巻線端面ともいう。
図４に水冷銅板の発熱量と水冷銅板の巻線端面からの突き出し量ｋとの関係を測定した結果を示す。
【００４１】
図５に示すように、鉄心２の対物面から巻線５の端面までの間を、距離ｊ＝１０ｍｍにセットし、巻線５の端面からの外部冷却板３Ａの端面の突き出し量ｋを変化させ、外部冷却板３Ａの発熱量を測定したところ、図４に示される通り、
ｋ＝０ｍｍの時を１．０とした場合、
ｋ＝−１０ｍｍの時は約０．８倍なのに対して、
ｋ＝１０ｍｍの時は約１．７倍となり、
巻線５の端面から外部冷却板３Ａの端面を被加熱物６の方向、即ち鉄心２の対物面側方向へと突き出す程、外部冷却板３Ａの発熱量が急激に増加したのである。
【００４２】
従って、上記実施の形態２のように、外部冷却板３Ａ、３Ｅの端面に対して、巻線５を、その巻線５の端面と一致させるか若しくは一致する位置から更に被加熱物６に近づくように前進させた位置に配置した構成とすることによって、外部冷却板３Ａ、３Ｅの当該部位における発熱量を大幅に抑制させることができる。
又、上記実施の形態１で説明した各種形態とこの実施の形態２の構成とを組み合わせることによって、更に、全体としての鉄心２及び冷却板の発熱量を抑制することができる。
又、磁束Ｂの流入量に応じた性能の良い誘導加熱コイルを提供することができる。
【００４３】
上記実施の形態１においては、この実施の形態２における上記構成の特徴部分について説明していないが、図１に示すように、上記実施の形態１においても、この実施の形態２の上記特徴部分を備えた構成となっている。
従って、上記実施の形態１においても、この実施の形態２の上記特徴部分の構成を組み合わせることにより、この実施の形態２と同様の作用効果は勿論、相乗効果によって、効果的に鉄心２の発熱量を抑制することができる。
【００４４】
実施の形態３．
実施の形態３は、上記実施の形態１や実施の形態２において、被加熱側端面が後退させられた外部冷却板の外部冷却板側積層体部分（２Ａ）における鋼板の積層方向を改良したものである。
即ち、被加熱側端面が後退させられた外部冷却板側の外部冷却板側積層体部分における鋼板を、鉄心を構成する他の鋼板の積層方向及び対物面に対して直交する方向に積層し、更に、こうして積層された外部冷却板側積層体部分の鋼板の対物面側に、各鋼板の被加熱物側端面を、前記の後退させられた外部冷却板側の被加熱物端面に連なるよう傾けた形に形成して傾斜状面を設けた構成としたものである。
【００４５】
以下、図３に基づいて説明する。図３は、鉄心２の対物面を被加熱物の下面側に向けた状態を示す斜視図である。
図３において、３Ａ、３Ｅは後退させられた外部冷却板であり、この外部冷却板３Ａ、３Ｅに接する鋼板１から内側方向に積層される一定幅内の鋼板１、即ち図１及び図２において示す外部冷却板側積層体部分２Ａを構成する鋼板１について、他の鋼板１の積層方向及び鉄心２の対物面に対して直交する方向に積層している。
【００４６】
そして、この直交する方向に積層された外部冷却板側積層体部分２Ａを構成する各鋼板１の被加熱物側端面は、鉄心２の対物面から、前記の後退された外部冷却板３Ａ、３Ｅの被加熱物側端面へと連なるよう、鋼板１の幅方向の一方側肩部を削除して被加熱物側端面に傾斜を設け、当該外部冷却板側積層体部分２Ａの被加熱物側即ち鉄心２の対物面側の外側端部に傾斜状面を設けている。
【００４７】
この実施の形態３の傾斜状面の態様は、上記実施の形態１で説明した傾斜状態と同様に、その断面を階段状や曲線状に形成してもよい。
この場合、この実施の形態３では、傾斜状面を構成する多数の積層された鋼板１の幅方向が、鉄心２を構成する他の鋼板１の積層方向に向けられた構成とされているので、例えば、当該傾斜状面を構成する各鋼板１の幅方向の一方側の角部を適宜、直線状、階段状、或いは湾曲する曲面状等、所望のラインに容易に形成することができる。
そして、こうして形成した同一形状の鋼板１を必要な積層枚数積層するだけで、比較的容易に傾斜状面を設けることができる。
【００４８】
又、この実施の形態３の傾斜状面を構成する鋼板１としてケイ素鋼板を用いることにより、当該傾斜状面が構成された外部冷却板側積層体部分２Ａにおいて、熱伝導率を５倍程向上させることができる。これは、ケイ素鋼板の熱伝導率が鉛直方向よりも沿面方向の方が５倍程度良い点を利用したからである。
従って、外部冷却板３Ａ、３Ｂへの熱伝導が著しく高められ、鉄心２の当該部位及びその周辺部位の冷却効果を飛躍的に向上させることができる。
【００４９】
上記実施の形態３の傾斜状面は、図３に示す通り、鉄心２の両側の外部冷却板側積層体部分２Ａに設けてあるが、被加熱物６の端部側に相対する位置側の外部冷却板３Ａ（図１、図２参照）側のみに外部冷却板側積層体部分２Ａに設けてもよい。
又、上記実施の形態１や実施の形態２において、この実施の形態３にしめす構成を組み合わせることにより、この実施の形態３と同様の作用効果は勿論、相乗効果によって、鉄心２全体の発熱量を効果的に抑制することができる。
【００５０】
【発明の効果】
請求項１乃至請求項３の発明によれば、何れも、従来に比べて、鉄心の発熱量を低減することができ、耐久性に富み、安定した操業が行える高性能の誘導加熱コイルを提供することができる。また、対物面の傾斜状面側に内部冷却板を配設するようにしたので、鉄心の外部冷却板側積層体部分の発熱を外部冷却板と協働して効率よく抑制することができる。
【００５１】
請求項２の発明によれば、被加熱物の端面側に相対する鉄心端部の発熱を効率よく抑制することができる。
【００５２】
請求項３の発明によれば、鉄心両側の外部冷却板の耐久性を向上させると共に、外部冷却板側積層体部分への磁束の流入を効率よく阻止することができるので、全体として鉄心の発熱を効率よく抑制することができる。
【図面の簡単な説明】
【図１】  実施の形態１の誘導加熱コイルの縦断面である。
【図２】  実施の形態２の誘導加熱コイルの縦断面である。
【図３】  実施の形態３の誘導加熱コイルを被加熱物の下面側に向けた状態を示す斜視図である。
【図４】  外部冷却板の発熱比と巻線端面からの突き出し量ｋとの関係を示す図である。
【図５】  鉄心を構成する鋼板及び外部冷却板の巻線からの突き出し量を示す説明図である。
【図６】  従来例１の誘導加熱コイルの断面図である。
【図７】  水冷銅板の平面図である。
【図８】  従来例２の誘導加熱コイルの断面図である。
【図９】  従来例２の鉄心の堰双方向からみた側面図である。
【符号の説明】
１  ケイ素鋼板（鋼板）、２  鉄心、２Ａ  外部冷却板側積層体部分、３Ａ、３Ｅ  外部水冷銅板（外部冷却板）、３Ｂ、３Ｃ、３Ｄ  内部水冷銅板（内部冷却板）、５  巻線、６  被加熱物、
ｇ  対物距離（被加熱物の面と鉄心の対物面との距離）、
ｈ  鉄心の対物面と外部冷却板の端面との距離）、
ｊ  巻線の端面と鉄心の対物面との距離、
ｋ  巻線端の面と外部冷却板の端面との距離。
【図１】
0003767327.tif 000002
【図２】
0003767327.tif 000003
【図３】
0003767327.tif 000004
【図４】
0003767327.tif 000005
【図５】
0003767327.tif 000006
【図６】
0003767327.tif 000007
【図７】
0003767327.tif 000008
【図８】
0003767327.tif 000009
【図９】
0003767327.tif 000010